(57)【要約】【課題】  着用が簡単で、かつ保温性にも優れた子守用ケープの提供を目的とする。【解決手段】  袖部を含む左右の前身頃（１１）（１２）と後身頃（１０）とが肩線（１３）（１３）で結合されるとともに、左前身頃（１１）と右前身頃（１２）が互いに打ち合わされる子守用ケープ（１）において、左右の前身頃（１１）（１２）の打ち合わせの重ね代が調節自在となされ、肩線（１３）（１３）から所定距離離れた位置で、左右の前身頃（１１）（１２）の裾と後身頃（１０）の裾を結合させることにより袖口（２８）が形成されてなる。【選択図】    図１Ａ
0003105150.tif 000002
【実用新案登録請求の範囲】
【請求項１】
袖部を含む左右の前身頃と後身頃とが肩線で結合されるとともに、左前身頃と右前身頃が互いに打ち合わされる子守用ケープにおいて、
左右の前身頃の打ち合わせの重ね代が調節自在となされ、肩線から所定距離離れた位置で、左右の前身頃の裾と後身頃の裾を結合させることにより袖口が形成されてなることを特徴とする子守用ケープ。
【請求項２】
後身頃に幼児用フードが取り付けられている請求項１に記載の子守用ケープ。
【考案の詳細な説明】
【技術分野】
【０００１】
この考案は、幼児をおんぶまたはだっこした状態で着用する子守用ケープに関するものである。
【背景技術】
【０００２】
この種の使用者（大人）と幼児とを同時に覆う衣料として、子守用コートや子守用ケープがある（特許文献１，２参照）。
【０００３】
特許文献１に記載された子守用コートは、通常の袖付きコートの前身頃および後身頃をそれぞれ左右に分離可能とし、幼児の抱持方法に応じて身頃に被覆用補助布を装着するものである。この子守用コートは、おんぶ時には後身頃を左右に分割して被覆用補助布を装着し、背側のスペースを拡大して使用される。一方、だっこ時には前身頃を左右に分割して被覆用補助布を装着して胸側のスペースを拡大して使用される。
【０００４】
特許文献２に記載された子守用ケープは、母身頃部と幼児身頃部とからなる、袖無しの二部式ケープであって、使用時にこれらの肩と脇とを紐結びやホックによって連結させるものである。即ち、おんぶ時には、母身頃部を胸側に配置するとともに、幼児身頃部を背面側に配置し、おんぶした幼児の身体位置に合わせて互いの肩と脇が連結される。また、だっこ時には、母身頃部を背側に配置するとともに、幼児身頃部を胸側に配置して肩と脇が連結される。
【特許文献１】特開平１０−１３０９１４号公報
【特許文献２】特開平１１−３２３６２０号公報
【考案の開示】
【考案が解決しようとする課題】
【０００５】
しかしながら、特許文献１に記載された子守用コートは構造が複雑であり、おんぶとだっこを相互に転換するには、１．後身頃から被覆溶補助布を外す、２．後身頃を結合させる、３．前身頃を分割する、４．前身頃に被服用補助布する、といった手数が必要となり、甚だ面倒である。
【０００６】
特許文献２に記載された子守用ケープは、両肩と両脇の４箇所を連結しなければならず、特許文献１と同様に着用に手数がかかるという問題点がある。しかも、袖無しであるため、母身頃部と幼児身頃部と隙間から風が入り、保温性が悪いという問題点もある。
【課題を解決するための手段】
【０００７】
本考案は、上述した問題点に鑑み、着用が簡単で、かつ保温性にも優れた子守用ケープの提供を目的とする。
【０００８】
本考案の子守用ケープは、前記目的を達成するために、下記〔１〕〔２〕に記載の構成を有する。
【０００９】
〔１〕  袖部を含む左右の前身頃と後身頃とが肩線で結合されるとともに、左前身頃と右前身頃が互いに打ち合わされる子守用ケープにおいて、左右の前身頃の打ち合わせの重ね代が調節自在となされ、肩線から所定距離離れた位置で、左右の前身頃の裾と後身頃の裾を結合させることにより袖口が形成されてなることを特徴とする子守用ケープ。
【００１０】
〔２〕  後身頃に幼児用フードが取り付けられている〔１〕に記載の子守用ケープ。
【考案の効果】
【００１１】
〔１〕の考案にかかる子守用ケープによれば、使用者と幼児をすっぽりと覆うことができて保温性に優れ、おんぶ時の着用とだっこ時の着用を簡単に転換できる。しかも、単純な形状にもかかわらず袖口が形成されるので、使用者の動作を妨げず動き易い。また、使用者のみが着用することもでき、汎用性が高い。
【００１２】
〔２〕の考案によれば、保温性、安全性の高いケープとなし得る。
【考案を実施するための最良の形態】
【００１３】
図１Ａおよび図１Ｂに、本考案にかかる子守用ケープの一実施形態を示す。
【００１４】
子守用ケープ（１）において、後身頃(10)および左右の身頃(11)(12)は袖部を含む扇形で、たっぷりとしたドレープを含む寸法に形成され、後身頃(10)と、左右の前身頃(11)(12)とが肩線(13)(13)で縫合されている。また、これらの身頃(10)(11)(12)に立衿(14)が縫着されている。
【００１５】
左前身頃(11)と右前身頃(12)の打ち合わせは、凹凸嵌合によるホックによって開閉される。ホックは、上前となる右前身頃(12)の前端側に縦一列に凸型ホック(21a)(22a)(23a)(24a)(25a)が取付られ、下前となる左身頃(11)の前端側に、前記凸型ホック(21a)(22a)(23a)(24a)(25a)に係合される凹型ホック(21b)(22b)(23b)(24b)(25b)が取付けられている。さらに、右前身頃(12)には、最上段の凸型ホック(21a)と同じ高さに所定間隔で奥側凸型ホック(26a)が取付けられ、左前身頃(11)には、最上段の凹型ホック(21b)と同じ高さに、右前身頃(12)の凸型ホック(21a)(26a)間と同じ間隔で奥側凹型ホック(26b)が取付けられている。前記最上段の前端側凸型ホック(21a)は前端側凹型ホック(21b)および奥側凹型ホック(26b)のどちらに対しても係脱可能であり、最上段の前端側凹型ホック(21b)は前端側凸型ホック(21a)および奥側凸型ホック(26a)のどちらに対しても係脱可能である。
【００１６】
上述した複数のホックにより、左前身頃(11)と右前身頃(12)の打ち合わせは、右前身頃(12)の前端側最上段の凸型ホック(21a)を左前身頃(11)の前端側の凹型ホック(21b)に係合させた時に浅く（重ね代が小さく）なり、奥側の凹型ホック(26b)と係合させた時に深く（重ね代が大きく）なる。なお、深く打ち合わせたとき、左前身頃(11)の前端側最上段の凹型ホック(21b)は右前身頃(12)の奥側凸型ホック(26a)に係合し、下前側重ね代の垂れ下がりが防止される（図４参照）。
【００１７】
後身頃(10)および左右前身頃(11)(12)の裾において、肩線(13)からそれぞれ約２０ｃｍの位置にホック(27a)(27b)が取付けられている。これらのホック(27a)(27b)を係合して左右の前身頃(11)(12)の裾と後身頃(10)の裾とを結合させることにより、環状の袖口(28)が形成される。これにより、図４に示すように、手を出す位置が定まるとともに、身頃のまとわりつきが抑制されて様々な動作をしやすくする。
【００１８】
また、前記子守用ケープ(1)には幼児用フード(30)が着脱自在に装着される。幼児用フード(30)は、基端辺に数個のボタン(31)が縫着され、これらのボタン(31)を後身頃(10)の衿ぐりに取付されたループ(32)に嵌めることにより、着脱自在に装着される。
【００１９】
上述した子守用ケープ（１）は、以下のようにおんぶとだっこの両方に使用でき、さらに幼児を抱持せずに使用者単独で使用することもできる。
〔おんぶで使用する場合〕
図２に示すように、子守帯などで幼児をおんぶして前記子守用ケープ(1)をはおり、右身頃(12)の前端側凸型ホック(21a)…(25a)を左身頃(11)の前端側凹型ホック(21b)…(25b)に係合させ、左右の前身頃(11)(12)の打ち合わせを浅くして着用する。これにより、ケープ内のスペースが大きくなるとともに、首周り寸法にゆとりができるため、おんぶした幼児の頭部を出した状態で、支障なく幼児を覆うことができる。
〔だっこで使用する場合〕
図３で示すように、子守帯などで幼児をだっこし、前記子守用ケープ(1)の前後を逆にして幼児を覆い、背面側に位置する左右の前身頃(11)(12)の打ち合わせを浅くして着用する。する。
【００２０】
また、おんぶおよびだっこにおいて、必要に応じて幼児にフード(30)を装着する。フード(30)は保温性や安全性を高めるものである。
〔使用者単独で使用する場合〕
図４に示すように、前記子守用ケープ(1)をはおり、右前身頃(12)の最上段の２つの凸型ホック(21a)(26a)を左前身頃(11)の最上段の２つの凹型ホック(26b)(21b)に係合させ、左右の前身頃(11)(12)の打ち合わせを深くして着用する。これにより、ケープ内のスペースが縮小されされるとともに、首周り寸法も小さくなって使用者の首にフィットする。
【００２１】
また、おんぶ、だっこ、使用者単独のいずれの場合にも、裾のホック(27a)(27b)を係合して袖口(28)を形成させて使用することもできるし、ホック(27a)(27b)の係合を解除して使用することもできる。
【００２２】
前記子守用ケープ(1)は、使用者と幼児をすっぽりと覆うことができて保温性に優れ、おんぶ時の着用とだっこ時の着用の転換する際にも手数がかからない。しかも、単純な形状にもかかわらず袖口が形成されるので、使用者の動作を妨げず動き易い。また、使用者のみでも着用できるため、幼児の成長後にも使用でき汎用性が高い。
【００２３】
本考案の子守用ケープの材料は任意の布やシートで形成することができる。例えば、防寒が目的ならば、各種織物、ニット、起毛生地等が好ましく、雨除けならば、撥水処理された布や合成樹脂シートが好ましい。また、春から秋の紫外線対策ならば、気温を勘案して薄地で遮蔽効果の高い布を推奨できる。
【００２４】
また、図示例の形態に限定されず、適宜変更することができる。例えば、衿なしやショールカラーも本考案に含まれる。また、打ち合わせ深さの調節は２段階に限定されず、３段階以上としても良いし、ホックに代えて、ボタン、ファスナー、バックルなどの任意の係合具も使用できる。さらに、ケープ丈方向における係合具の数も限定されず、１段でも複数段でもよい。即ち、図示例では前端側に５段のホックを取付けているが、１段のみでも良い。
【００２５】
また、袖口を形成するための係合具も限定されない。さらには袖口の形成を係合具を用いて形成（係合）−展開（係合解除）自在としても良いし、縫着などにより固定的な袖口を形成しても良く、いずれの場合も本考案に含まれる。
【００２６】
また、幼児用フードは着脱自在とする他、固着したものも本考案に含まれる。さらに着脱自在とする場合は、大人用フードに交換することもできる。
【図面の簡単な説明】
【００２７】
【図１Ａ】本考案の子守用ケープの一実施形態を、前身頃側から見た斜視図である。
【図１Ｂ】図１Ａの子守用ケープを、後前身頃側から見た斜視図である。
【図２】図１Ａの子守用ケープをおんぶで使用した状態を示す斜視図である。
【図３】図１Ａの子守用ケープをだっこで使用した状態を示す斜視図である。
【図４】図１Ａの子守用ケープを使用者単独で使用した状態を示す斜視図である。
【符号の説明】
【００２８】
１…子守用ケープ
10…後身頃
11…左前身頃
12…右前身頃
13…肩線
21a,22a,23a,24a,25a,26a,27a…凸型ホック
21b,22b,23b,24b,25b,26b,27b…凹型ホック
27…袖口
30…幼児用フード
【図１Ａ】
0003105150.tif 000003
【図１Ｂ】
0003105150.tif 000004
【図２】
0003105150.tif 000005
【図３】
0003105150.tif 000006
【図４】
0003105150.tif 000007